(57)【要約】【課題】操作者のフィルム仕分け作業やフィルム管理作業を容易にする。【解決手段】同一属性に係わる１以上の医用画像信号に基づいて、１枚のフィルムに該１以上の医用画像を記録し、この１枚のフィルムの１以上の医用画像を記録した領域外に、該１以上の医用画像領域内で各医用画像信号に関する属性情報を記録する際に用いられるフォントサイズより大サイズのフォントで、該１以上の医用画像に係わる同一属性情報を記録する。【選択図】図４
2004090661.tif 000002
【特許請求の範囲】
【請求項１】
同一属性に係わる１以上の医用画像信号に基づいて、１枚のフィルムに該１以上の医用画像を記録する画像記録方法であって、
　前記フィルムの前記１以上の医用画像を記録した領域外に、該１以上の医用画像領域内で各医用画像信号に関する属性情報を記録する際に用いられるフォントサイズより大サイズのフォントで、該１以上の医用画像に係わる同一属性情報を記録することを特徴とする画像記録方法。
【請求項２】
前記属性情報は患者情報、総撮影枚数情報、撮影順番情報のうち少なくとも１つの情報であることを特徴とする請求項１記載の画像記録方法。
【請求項３】
前記同一属性情報の記録位置が前記フィルムの一定位置であることを特徴とする請求項１又は請求項２記載の画像記録方法。
【請求項４】
同一属性に係わる１以上の医用画像信号に基づいて、１枚のフィルムに該１以上の医用画像を記録する画像記録装置であって、
　前記フィルムの前記１以上の医用画像を記録した領域外に、該１以上の医用画像領域内に各医用画像信号に関する属性情報を記録する際に用いられるフォントサイズより大サイズのフォントで該１以上の医用画像に係わる同一属性情報を記録することを特徴とする画像記録装置。
【請求項５】
前記属性情報は患者情報、総撮影枚数情報、撮影順番情報のうち少なくとも１つの情報であることを特徴とする請求項４記載の画像記録装置。
【請求項６】
前記同一属性情報の記録位置が前記フィルムの一定位置であることを特徴とする請求項４又は請求項５記載の画像記録装置。
【請求項７】
同一属性に係わる１以上の医用画像信号に基づいて、１枚のフィルムに該１以上の医用画像を記録された医療用フィルムであって、
　前記フィルムの前記１以上の医用画像を記録した領域外に、該１以上の医用画像記録領域内で各医用画像信号に関する属性情報を記録する際に用いられるフォントサイズより大サイズのフォントで該１以上の医用画像に係わる同一属性情報が記録されていることを特徴とする医療用フィルム。
【請求項８】
前記属性情報は患者情報、総撮影枚数情報、撮影順番情報のうち少なくとも１つの情報であることを特徴とする請求項７記載の医療用フィルム。
【請求項９】
前記同一属性情報の記録位置が前記フィルムの一定位置であることを特徴とする請求項７又は請求項８記載の医療用フィルム。
【請求項１０】
同一属性に係わる１以上の医用画像信号に基づいて、１枚のフィルムに該１以上の医用画像を記録する画像記録方法であって、
　前記１以上の医用画像を記録する際に、該１以上の医用画像に関連する属性情報を該１以上の医用画像の記録領域内に記録するとともに、
　前記１枚のフィルムに記録された前記１以上の医用画像に共通する同一属性を前記１枚のフィルムの前記１以上の医用画像の記録領域外に記録し、
　前記１以上の医用画像の記録領域外に記録された同一属性情報は、前記１以上の医用画像の記録領域内に記録された関連属性情報より大きな文字サイズで記録することを特徴とする画像記録方法。
【請求項１１】
前記属性情報は患者情報、総撮影枚数情報、撮影順番情報のうち少なくとも１つの情報であることを特徴とする請求項１０記載の画像記録方法。
【請求項１２】
前記同一属性情報の記録位置が前記フィルムの一定位置であることを特徴とする請求項１０又は請求項１１記載の画像記録方法。
【請求項１３】
前記関連する属性情報及び同一属性情報が、ともに患者情報を含むことを特徴とする請求項１０乃至請求項１２のいずれか１項に記載の画像記録方法。
【請求項１４】
同一属性に係わる１以上の医用画像信号に基づいて、１枚のフィルムに該１以上の医用画像を記録する画像記録装置であって、
　前記１以上の医用画像を記録する際に、該１以上の医用画像に関連する属性情報を該１以上の医用画像の記録領域内に記録するとともに、
　前記１枚のフィルムに記録された前記１以上の医用画像に共通する同一属性を前記１枚のフィルム前記１以上の医用画像の記録領域外に記録し、
　前記１以上の医用画像の記録領域外に記録された同一属性情報は、前記１以上の医用画像の記録領域内に記録された関連属性情報より大きな文字サイズで記録することを特徴とする画像記録装置。
【請求項１５】
前記同一属性情報は、患者情報、総撮影枚数情報、撮影順番情報のうち少なくとも１つの情報であることを特徴とする請求項１４記載の画像記録装置。
【請求項１６】
前記同一属性情報の記録位置が前記フィルムの一定位置であることを特徴とする請求項１４又は請求項１５記載の画像記録装置。
【請求項１７】
前記関連する属性情報及び同一属性情報が、ともに患者情報を含むことを特徴とする請求項１４乃至請求項１６のいずれか１項に記載の画像記録装置。
【請求項１８】
同一属性に係わる１以上の医用画像信号に基づいて、１枚のフィルムに該１以上の医用画像を記録する医療用フィルムであって、
　前記１以上の医用画像を記録する際に、該１以上の医用画像に関連する属性情報を該１以上の医用画像の記録領域内に記録するとともに、
　前記１枚のフィルムに記録された前記１以上の医用画像に共通する同一属性が前記１枚のフィルムの前記１以上の医用画像の記録領域外に記録され、
　前記１以上の医用画像の記録領域外に記録された同一属性情報は、前記１以上の医用画像の記録領域内に記録された関連属性情報より大きな文字サイズで記録されていることを特徴とする医療用フィルム。
【請求項１９】
前記同一属性情報は、患者情報、総撮影枚数情報、撮影順番情報のうち少なくとも１つの情報であることを特徴とする請求項１８記載の医療用フィルム。
【請求項２０】
前記同一属性情報の記録位置が前記フィルムの一定位置であることを特徴とする請求項１８又は請求項１９記載の医療用フィルム。
【請求項２１】
前記関連する属性情報及び同一属性情報が、ともに患者情報を含むことを特徴とする請求項１８乃至請求項２０のいずれか１項に記載の医療用フィルム。
【発明の詳細な説明】
【技術分野】
【０００１】
　この発明は、同一属性に係わる複数の医用画像信号に基づいて、１つのフィルムに該複数の医用画像を記録する画像記録方法、画像記録装置及び医療用フィルムに関する。
【背景技術】
【０００２】
　従来、画像記録装置としてのレーザーイメージャは、ＣＴ、ＭＲＩ等の医療用モダリティから転送された画像を、例えばレーザーを用いてフィルムに書き込むものがある。
【０００３】
　通常、レーザーイメージャに複数の医療用モダリティが接続されている場合は、レーザイメージャに画像データが入力された順番は、医療用モダリティで撮影された順番とは異なる。即ち、複数の医療用モダリティＡからａ１〜ａ２と医療用モダリティＢかｂ１〜ｂ２というデータが同一レーザーイメージャに入力された時、レーザーイメージャにデータ入力された順番、例えば、ａ１・ｂ１・ａ２・ｂ２という順番でプリントキューに登録され、この順番でプリントされることになる。
【０００４】
　このため、フィルムの仕分け作業において１枚ｌ枚の画像中にオーバーレイされた患者名、患者ＩＤを見分け、患者毎に分類し、その後、同一患者の撮影枚数を数え、トータル枚数と順番を記入する作業を行なっている。
【０００５】
　また、複数の画像の付帯画像情報を、個別情報、共通情報に判別し、個別情報は各画像とともに、共通情報はそれのみで表示部上に表示する情報処理部を備え、フィルム上の各コマ以外の余白部分に共通情報を撮影して記録するようにしたものがある（特許文献１）。
【特許文献１】特開昭６１−２７２７３１号公報
【発明の開示】
【発明が解決しようとする課題】
【０００６】
　この画像中にオーバーレイされた患者名、患者ＩＤは記録フォーマットにより大きさ、プリントアウトされる位置が一定せず読み取りにくい、また同一患者のフィルムがまとまって収納されないため仕分け作業に時間がかかる、さらに同一患者のフィルムがまとまって（連続して）収納されている場合でも他患者との境界がわかりにくい、また仕分け作業後に撮影枚数と順番を各フィルムに書き込まなければならない等の問題がある。
【０００７】
　この発明は、かかる点に鑑みなされたもので、上述の欠点を解消し、例えば患者毎等のフィルム仕分け作業やフィルム管理作業を容易にする画像記録方法、画像記録装置及び医療用フィルムを提供することを目的としている。
【課題を解決するための手段】
【０００８】
　前記課題を解決し、かつ目的を達成するために、この発明は、以下のように構成した。
【０００９】
　請求項１に記載の発明は、同一属性に係わる１以上の医用画像信号に基づいて、１枚のフィルムに該１以上の医用画像を記録する画像記録方法であって、
　前記フィルムの前記１以上の医用画像を記録した領域外に、該１以上の医用画像領域内で各医用画像信号に関する属性情報を記録する際に用いられるフォントサイズより大サイズのフォントで、該１以上の医用画像に係わる同一属性情報を記録することを特徴とする画像記録方法である。
【００１０】
　請求項２に記載の発明は、前記属性情報は患者情報、総撮影枚数情報、撮影順番情報のうち少なくとも１つの情報であることを特徴とする請求項１記載の画像記録方法である。
【００１１】
　請求項３に記載の発明は、前記同一属性情報の記録位置が前記フィルムの一定位置であることを特徴とする請求項１又は請求項２記載の画像記録方法である。
【００１２】
　請求項４に記載の発明は、同一属性に係わる１以上の医用画像信号に基づいて、１枚のフィルムに該１以上の医用画像を記録する画像記録装置であって、
　前記フィルムの前記１以上の医用画像を記録した領域外に、該１以上の医用画像領域内に各医用画像信号に関する属性情報を記録する際に用いられるフォントサイズより大サイズのフォントで該１以上の医用画像に係わる同一属性情報を記録することを特徴とする画像記録装置である。
【００１３】
　請求項５に記載の発明は、前記属性情報は患者情報、総撮影枚数情報、撮影順番情報のうち少なくとも１つの情報であることを特徴とする請求項４記載の画像記録装置である。
【００１４】
　請求項６に記載の発明は、前記同一属性情報の記録位置が前記フィルムの一定位置であることを特徴とする請求項４又は請求項５記載の画像記録装置である。
【００１５】
　請求項７に記載の発明は、同一属性に係わる１以上の医用画像信号に基づいて、１枚のフィルムに該１以上の医用画像を記録された医療用フィルムであって、
　前記フィルムの前記１以上の医用画像を記録した領域外に、該１以上の医用画像記録領域内で各医用画像信号に関する属性情報を記録する際に用いられるフォントサイズより大サイズのフォントで該１以上の医用画像に係わる同一属性情報が記録されていることを特徴とする医療用フィルムである。
【００１６】
　請求項８に記載の発明は、前記属性情報は患者情報、総撮影枚数情報、撮影順番情報のうち少なくとも１つの情報であることを特徴とする請求項７記載の医療用フィルムである。
【００１７】
　請求項９に記載の発明は、前記同一属性情報の記録位置が前記フィルムの一定位置であることを特徴とする請求項７又は請求項８記載の医療用フィルムである。
【００１８】
　請求項１０に記載の発明は、同一属性に係わる１以上の医用画像信号に基づいて、１枚のフィルムに該１以上の医用画像を記録する画像記録方法であって、
　前記１以上の医用画像を記録する際に、該１以上の医用画像に関連する属性情報を該１以上の医用画像の記録領域内に記録するとともに、
　前記１枚のフィルムに記録された前記１以上の医用画像に共通する同一属性を前記１枚のフィルムの前記１以上の医用画像の記録領域外に記録し、
　前記１以上の医用画像の記録領域外に記録された同一属性情報は、前記１以上の医用画像の記録領域内に記録された関連属性情報より大きな文字サイズで記録することを特徴とする画像記録方法である。
【００１９】
　請求項１１に記載の発明は、前記属性情報は患者情報、総撮影枚数情報、撮影順番情報のうち少なくとも１つの情報であることを特徴とする請求項１０記載の画像記録方法である。
【００２０】
　請求項１２に記載の発明は、前記同一属性情報の記録位置が前記フィルムの一定位置であることを特徴とする請求項１０又は請求項１１記載の画像記録方法である。
【００２１】
　請求項１３に記載の発明は、前記関連する属性情報及び同一属性情報が、ともに患者情報を含むことを特徴とする請求項１０乃至請求項１２のいずれか１項に記載の画像記録方法である。
【００２２】
　請求項１４に記載の発明は、同一属性に係わる１以上の医用画像信号に基づいて、１枚のフィルムに該１以上の医用画像を記録する画像記録装置であって、
　前記１以上の医用画像を記録する際に、該１以上の医用画像に関連する属性情報を該１以上の医用画像の記録領域内に記録するとともに、
　前記１枚のフィルムに記録された前記１以上の医用画像に共通する同一属性を前記１枚のフィルム前記１以上の医用画像の記録領域外に記録し、
　前記１以上の医用画像の記録領域外に記録された同一属性情報は、前記１以上の医用画像の記録領域内に記録された関連属性情報より大きな文字サイズで記録することを特徴とする画像記録装置である。
【００２３】
　請求項１５に記載の発明は、前記同一属性情報は、患者情報、総撮影枚数情報、撮影順番情報のうち少なくとも１つの情報であることを特徴とする請求項１４記載の画像記録装置である。
【００２４】
　請求項１６に記載の発明は、前記同一属性情報の記録位置が前記フィルムの一定位置であることを特徴とする請求項１４又は請求項１５記載の画像記録装置である。
【００２５】
　請求項１７に記載の発明は、前記関連する属性情報及び同一属性情報が、ともに患者情報を含むことを特徴とする請求項１４乃至請求項１６のいずれか１項に記載の画像記録装置である。
【００２６】
　請求項１８に記載の発明は、同一属性に係わる１以上の医用画像信号に基づいて、１枚のフィルムに該１以上の医用画像を記録する医療用フィルムであって、
　前記１以上の医用画像を記録する際に、該１以上の医用画像に関連する属性情報を該１以上の医用画像の記録領域内に記録するとともに、
　前記１枚のフィルムに記録された前記１以上の医用画像に共通する同一属性が前記１枚のフィルムの前記１以上の医用画像の記録領域外に記録され、
　前記１以上の医用画像の記録領域外に記録された同一属性情報は、前記１以上の医用画像の記録領域内に記録された関連属性情報より大きな文字サイズで記録されていることを特徴とする医療用フィルムである。
【００２７】
　請求項１９に記載の発明は、前記同一属性情報は、患者情報、総撮影枚数情報、撮影順番情報のうち少なくとも１つの情報であることを特徴とする請求項１８記載の医療用フィルムである。
【００２８】
　請求項２０に記載の発明は、前記同一属性情報の記録位置が前記フィルムの一定位置であることを特徴とする請求項１８又は請求項１９記載の医療用フィルムである。
【００２９】
　請求項２１に記載の発明は、前記関連する属性情報及び同一属性情報が、ともに患者情報を含むことを特徴とする請求項１８乃至請求項２０のいずれか１項に記載の医療用フィルムである。
【発明の効果】
【００３０】
　前記構成により、この発明は、以下のような効果を有する。
【００３１】
　請求項１、請求項４及び請求項７に記載の発明では、同一属性に係わる１以上の医用画像信号に基づいて、１枚のフィルムに１以上の医用画像を記録し、フィルムの１以上の医用画像を記録した領域外に、１以上の医用画像領域内に各医用画像信号に関する属性情報を記録する際に用いられるフォントサイズより大サイズのフォントで１以上の医用画像に係わる同一属性情報を記録するから、同一属性情報の視認性が上がり、例えば患者毎等のフィルム仕分け作業やフィルム管理作業が容易になる。
【００３２】
　請求項２、請求項５及び請求項８に記載の発明では、属性情報は患者情報、総撮影枚数情報、撮影順番情報のうち少なくとも１つの情報であり、この情報の視認性が上がる。
【００３３】
　請求項３、請求項６及び請求項９に記載の発明では、同一属性情報の記録位置がフィルムの一定位置であり、同一属性情報の視認性が上がる。
【００３４】
　請求項１０、請求項１４及び請求項１８に記載の発明では、同一属性に係わる１以上の医用画像信号に基づいて、１枚のフィルムに該１以上の医用画像を記録し、この１以上の医用画像を記録する際に、該１以上の医用画像に関連する属性情報を該１以上の医用画像の記録領域内に記録するとともに、１枚のフィルムに記録された１以上の医用画像に共通する同一属性を１枚のフィルムの１以上の医用画像の記録領域外に記録し、１以上の医用画像の記録領域外に記録された同一属性情報は、１以上の医用画像の記録領域内に記録された関連属性情報より大きな文字サイズで記録することで、同一属性情報の視認性が上がり、例えば患者毎等のフィルム仕分け作業やフィルム管理作業が容易になる。
【００３５】
　請求項１１、請求項１５及び請求項１９に記載の発明では、属性情報は患者情報、総撮影枚数情報、撮影順番情報のうち少なくとも１つの情報であり、この情報の視認性が上がる。
【００３６】
　請求項１２、請求項１６及び請求項２０に記載の発明では、同一属性情報の記録位置がフィルムの一定位置であり、同一属性情報の視認性が上がる。
【００３７】
　請求項１３、請求項１７及び請求項２１に記載の発明では、関連する属性情報及び同一属性情報が、ともに患者情報を含み、この患者情報に基づく処理が容易になる。
【発明を実施するための最良の形態】
【００３８】
　以下、この発明の画像記録方法、画像記録装置及び医療用フィルムの実施の形態について説明するが、この発明は、この実施の形態に限定されない。また、この発明の実施の形態は、発明の最も好ましい形態を示すものであり、この発明の用語はこれに限定されない。
【００３９】
　この実施の形態では、画像記録装置として、医療用モダリティから転送された画像をレーザーを用いてフィルムに書き込むレーザーイメージャについて説明する。
【００４０】
　図１はレーザーイメージャのシステムの概略図、図２は表示操作部の平面図である。レーザーイメージャ１は、ＣＴ２、ＭＲＩ３等の医療用モダリティから転送された画像をレーザーを用いてフィルムに書き込む。
【００４１】
　モダリティの操作者は、レーザーイメージャ１で画像出力するために、複数の画像を１枚のフィルムにプリントするためのレイアウトの仕方を決定するためのフォーマット情報の設定、ＬＵＴの設定、画像のストア、プリントの起動等をレーザーイメージャ１に接続された表示操作部４にて行なう。表示操作部４には、表示部４０、ストアスイッチ４１、プリントスイッチ４２及びスタディスイッチ４３が設けられている。
【００４２】
　レーザーイメージャ１には、画像信号を入力する入力手段１０と、この入力手段１０から入力した画像信号を記憶する記憶手段１１と、この記憶手段１１からの画像信号を再生出力する再生手段１２と、これらを制御する制御手段１３とを有している。制御手段１３は、表示操作部４からの指令に基づき、入力手段１０、記憶手段１１及び再生手段１２を制御する。入力手段１０には、ＣＴ２、ＭＲＩ３等の医療用モダリティから転送された画像信号が入力され、この入力手段１０から入力した画像信号を記憶手段１１に記憶する。そして、再生手段１２により記憶手段１１からの画像信号を再生出力し、露光部１４に送り、サプライマガジン１５からでたフィルムに露光部１４からのレーザービームにより画像が記録される。
【００４３】
　その後、直結された自動現像機５で現像され、現像処理されたフィルムはフィルム収納部５０に取り出されて収納される。あるいはレシーブマガジン１６に一旦収納され、このレシーブマガジン１６を取り外して、レーザーイメージャ１と離れた自動現像機５にセットして現像される。
【００４４】
　また、レーザーイメージャ１には、患者撮影情報を記録する患者撮影情報記憶手段８と、撮影毎の患者の切り替わり指令を入力する切替手段７が備えられ、この切替手段７から切り替わり指令が入力されると、制御手段１３では、記憶手段１１及び再生手段１２を制御して切り替わり指令が入力されるまでに撮影した同一患者分の画像をまとめてフィルムに再生出力し、そのフィルム上の画像領域外に患者撮影情報を記録させる。切替手段７は表示操作部４に設けられたスタディスイッチ４３で構成されるが、撮影毎の患者名もしくは患者ＩＤを入力する情報入力部４４で構成することができる。
【００４５】
　このように、切替手段７の操作で切り替わり指令が入力されると、切り替わり指令が入力されるまでに撮影した同一患者分の画像をまとめてフィルムに再生出力し、そのフィルム上の画像領域外に患者撮影情報を記録させるため、操作者のフィルム仕分け作業、フィルム管理作業が容易になる。
【００４６】
　また、切り替わり指令は、撮影毎の患者名もしくは患者ＩＤであってもよく、このように撮影毎の患者名もしくは患者ＩＤを入力することで、撮影毎の患者の切り替わりを間違いなく正確、かつ簡単に入力することができる。
【００４７】
　また、患者撮影情報記憶手段８は、患者撮影情報の患者名を記憶する患者名記憶手段１１０、総撮影枚数を記憶する撮影トータルカウンタ１１１、撮影順番を記憶する撮影カウンタ１１２から構成され、この患者名、総撮影枚数、撮影順番をフィルムＦに記録することで、操作者は患者のフィルム仕分け作業、フィルム管理作業が容易に行なうことができる。
【００４８】
　次に、図３及び図４に基づいて、同一患者にて、４枚のフィルム撮影を行う場合の実施例を示す。図３はレーザーイメージャの動作フローチャート、図４はフィルム書き込み例を示す図である。
【００４９】
　図３において、ステップＳ１で、表示操作部４からの信号を取り込み、ステップＳ２で信号の判定を行なう。ステップＳ２で例えば、スタディスイッチ４３（又は情報入力部４４による撮影の患者もしくは患者ＩＤ）の入力により患者の切り替わりを認識すると、ステップＳ３でプリントキューを初期化し、ステップＳ４で撮影トータルカウンタ１１１を０クリアし、ステップＳ１に移行する。
【００５０】
　次に、ストアスイッチ４１を操作すると、ステップＳ１で信号を取り込み、ステップＳ２の判定でステップＳ５に移行し、必要フォーマット数分の画像データの記憶を行ない、ステップＳ１に移行する。
【００５１】
　次に、プリントスイッチ４２を操作すると、同様にステップＳ１で信号を取り込み、ステップＳ２の判定でステップＳ６に移行し、この段階では、フィルムへの記録動作は開始せず、ステップＳ６でプリント待ちキューに当該患者の１枚目として登録され、ステップＳ７で撮影トータルカウンタ１１１に＋１され、撮影ページを確定する。
【００５２】
　操作者は引き続き、ストアスイッチ４１を操作して、ステップＳ５で同様に２枚目のストア作業を行ない、プリントスイッチ４２を操作してプリントの起動をかけ、これにより当該患者の２枚目としてキューイングされ（ステップＳ６）、さらに撮影トータルカウンタ１１１に＋１されて（ステップＳ７）、ステップＳ１に移行し、この作業を繰り返し４枚目の撮影が終了する。
【００５３】
　操作者はスタディスイッチ４３（又は、情報入力部４４による撮影の患者もしくは患者ＩＤ）の入力により当該患者の撮影終了を入力する。これにより、ステップＳ１で信号を取り込み、ステップＳ２の判定でステップＳ８に移行し、当該患者のプリント待ちを解除し、フィルム書き込み動作を開始する。即ち、ステップＳ８で撮影カウンタ１１２に１を代入し、プリントを開始する。
【００５４】
　ステップＳ９で、先ず、記憶された画像情報を拡大補間し、四駒フォーマットの場合は、図４に示すようにフィルムＦに画像記録エリア６１〜６４の位置に書き込む。また、画像にオーバレイされた患者ＩＤ６５が記録される。次に、フィルムＦの画像領域外の所定の入力患者ＩＤ記録エリア６６に患者名記憶手段１１０に記憶された患者撮影情報が記録される。次に、フィルムＦの画像領域外の所定の撮影カウンタ内容記録エリア６７に撮影カウンタ１１２の内容を書き込む。次に、撮影トータルカウンタ内容記録エリア６８に撮影トータルカウンタ１１１の内容を書き込む。
【００５５】
　次に、ステップＳ１０で撮影カウンタ１１２の内容に＋１し、ステップＳ１１で撮影トータルカウンタ１１１＋１の内容と比較し、内容が一致している場合は、プリントシーケンスを抜け、一致していない場合はステップＳ９に移行して継続して２枚目のプリント動作を開始する。
【００５６】
　同様に２、３、４枚目のフィルム書き込み動作を行なう。つまり、１枚目のフィルムＦより１／４、２／４、３／４、４／４の当該患者の撮影トータル枚数及び撮影順番が記録される。
【００５７】
　書き込まれたフィルムＦは、直結された自動現像機５に送られるか、レシーブマガジン１６に収納後、別置き自動現像機５で現像処理され、自動現像機５のフィルム収納部５０に取り出されて収納される。
【００５８】
　従って、操作者は収納された複数のフィルムＦから画像中にオーバーレイされた患者ＩＤ６５で患者を判別し、フィルム分離が容易にできる。また、フィルムＦがばらばらになった場合でも、撮影順番が即座に判別できる効果もある。また、患者の切り替わりを患者名、患者ＩＤの入力により行なっている場合は、その内容を入力患者ＩＤ記録エリア６６に書き込んでもよく、この場合は画像内にオーバレイされた患者ＩＤ６５を見て、患者名を判断するより大きな文字で且つ、一定の位置に書き込まれるため更に、患者の識別がし易くなる。
【産業上の利用可能性】
【００５９】
　同一属性に係わる１以上の医用画像信号に基づいて、１枚のフィルムに該１以上の医用画像を記録する画像記録方法、画像記録装置及び医療用フィルムに適用でき、操作者のフィルム仕分け作業やフィルム管理作業を容易にする。
【図面の簡単な説明】
【００６０】
【図１】レーザーイメージャのシステムの概略図である。
【図２】表示操作部の平面図である。
【図３】レーザーイメージャの動作フローチャートである。
【図４】フィルム書き込み例を示す図である。
【符号の説明】
【００６１】
　７　切替手段
　１０　入力手段
　１１　記憶手段
　１２　再生手段
　１３　制御手段
　Ｆ　フィルム
【図１】
2004090661.tif 000003
【図２】
2004090661.tif 000004
【図３】
2004090661.tif 000005
【図４】
2004090661.tif 000006